(57)【特許請求の範囲】
【請求項１】
パネル要素に取り付けるように構成されたパネル・コンポーネント・ホルダーであって、
つば及び少なくとも１つのリテイナーを含むケーシングと、
前記ケーシングに取り付けられる取り付け端部を備え、弾性手段及び自由端部をさらに備える少なくとも１つの支持手段とを備え、
前記少なくとも１つのリテイナーが、前記少なくとも１つの支持手段の前記ケーシングからの前記ケーシングの中心軸と合致する平面内での外向きの移動を防止するように構成され、
前記支持手段の前記外向きの移動が前記弾性手段によって誘起され、
前記少なくとも１つの支持手段が前記ケーシングの内側から前記少なくとも１つのリテイナーから解放されるように構成され、
前記自由端部が前記パネル要素の内側に当接するように構成される、パネル・コンポーネント・ホルダー。
【請求項２】
請求項１に記載のパネル・コンポーネント・ホルダーにおいて、前記弾性手段が捩りばねである、パネル・コンポーネント・ホルダー。
【請求項３】
請求項１又は２に記載のパネル・コンポーネント・ホルダーにおいて、前記弾性手段が前記取り付け端部のところに配置されている、パネル・コンポーネント・ホルダー。
【請求項４】
請求項１から３のいずれか一項に記載のパネル・コンポーネント・ホルダーにおいて、前記少なくとも１つの支持手段が、前記取り付け端部と前記自由端部の間に配置される柔軟性のあるセクションをさらに備える、パネル・コンポーネント・ホルダー。
【請求項５】
請求項１から４のいずれか一項に記載のパネル・コンポーネント・ホルダーにおいて、前記少なくとも１つの支持手段が、少なくとも１つの脚をさらに備える、パネル・コンポーネント・ホルダー。
【請求項６】
請求項１から５のいずれか一項に記載のパネル・コンポーネント・ホルダーにおいて、前記少なくとも１つの支持手段が、前記取り付け端部と前記自由端部の間に配置される少なくとも１つの屈曲部をさらに備える、パネル・コンポーネント・ホルダー。
【請求項７】
請求項１から６のいずれか一項に記載のパネル・コンポーネント・ホルダーにおいて、前記少なくとも１つの支持手段が、前記自由端のところに、又は前記自由端部と前記取り付け端部の間に配置される少なくとも１つの突起部をさらに備える、パネル・コンポーネント・ホルダー。
【請求項８】
請求項１から７のいずれか一項に記載のパネル・コンポーネント・ホルダーにおいて、前記ケーシングが第１の、開口端部、第２の端部及び前記第１の、開口端部と前記第２の端部の間に配置されるケーシング壁をさらに備え、前記少なくとも１つのリテイナーが前記第２の端部のところに少なくとも１つのスロットとして配置される、パネル・コンポーネント・ホルダー。
【請求項９】
請求項１から８のいずれか一項に記載のパネル・コンポーネント・ホルダーにおいて、前記ケーシングが第１の、開口端部、第２の端部及び第１の、開口端部と第２の端部の間に配置されるケーシング壁をさらに備え、前記ケーシング壁が前記支持手段の制御を可能にするための少なくとも１つの制御開口部を備える、パネル・コンポーネント・ホルダー。
【請求項１０】
請求項９に記載のパネル・コンポーネント・ホルダーにおいて、前記少なくとも１つの制御開口部が前記ケーシング壁内に部分的に、且つ前記第２の端部内に部分的に配置される、パネル・コンポーネント・ホルダー。
【請求項１１】
請求項９から１０のいずれか一項に記載のパネル・コンポーネント・ホルダーにおいて、前記少なくとも１つのリテイナーが前記少なくとも１つの制御開口部の縁部によって形成される、パネル・コンポーネント・ホルダー。
【請求項１２】
請求項１１に記載のパネル・コンポーネント・ホルダーにおいて、前記少なくとも１つのリテイナーが突起部として形成される、パネル・コンポーネント・ホルダー。
【請求項１３】
請求項１１に記載のパネル・コンポーネント・ホルダーにおいて、前記少なくとも１つのリテイナーがスロットとして形成される、パネル・コンポーネント・ホルダー。
【請求項１４】
請求項８または９に記載のパネル・コンポーネント・ホルダーにおいて、１つの開口部が前記第２の端部の実質的に中央に配置される、パネル・コンポーネント・ホルダー。
【請求項１５】
パネル・コンポーネント・ホルダーをパネル要素に取り付ける方法であって、
前記パネル・コンポーネント・ホルダーが、
つば及び少なくとも１つのリテイナーを含むケーシングと、
前記ケーシングに取り付けられる取り付け端部を備え、弾性手段及び自由端部をさらに備える少なくとも１つの支持手段とを備え、
前記方法が、
前記パネル要素内の開口部を通り前記パネル・コンポーネント・ホルダーを挿入するステップと、
前記つばを前記パネル要素に当接させるステップと、
前記少なくとも１つの支持手段を前記ケーシングの内側から前記少なくとも１つのリテイナーから解放するステップとを含み、
前記少なくとも１つの支持手段が前記パネル要素の内側に当接するように前記ケーシングの中央軸と合致する平面内を前記ケーシングから外向きの移動を下向きに画き、前記外向きの移動が前記弾性手段によって誘起される、方法。
【請求項１６】
請求項１５に記載のパネル・コンポーネント・ホルダーを取り付ける方法において、前記支持手段の前記解放のステップが、前記ケーシングの内側から前記少なくとも１つの支持手段を解放するステップをさらに含む、方法。
【請求項１７】
請求項１５に記載のパネル・コンポーネント・ホルダーを取り付ける方法において、前記支持手段の前記解放のステップが、前記少なくとも１つの支持手段の一部分を前記少なくとも１つのリテイナーに対し届かなくなるように移動させるステップをさらに含む、方法。
【発明の詳細な説明】
【技術分野】
【０００１】
本発明は、パネル・コンポーネント・ホルダーに関する。
【背景技術】
【０００２】
スポットライトなどのパネル・コンポーネントは、パネル要素に装架される。パネル要素は、例えば壁用又は吊天井用のパネルであり、木質繊維、アルミニウム、ガラス繊維、石膏などの様々な材料のものである。
【０００３】
パネル・コンポーネントを装架するとき、いくつかの困難が発生する場合がある。パネル・コンポーネントは通常パネル要素に固定的に取り付けられるので、パネル要素は例えばパネル・コンポーネントの設置中に容易に損傷される。パネル・コンポーネントは通常特定のパネル厚さにのみ嵌合するようになされているので、異なる厚さのパネル要素は問題を生ぜしめる。装架手段はパネル要素の材料に応じて種々の方法で設置されなければならないので、様々なパネル要素材料も、やはり問題になる場合がある。さらに設置は、パネル・コンポーネントを留めるためにパネル・コンポーネントとパネル要素の間に構成される隙間内をいじらなければならず、時にはパネル・コンポーネントを装架するために工具の使用さえ必要であるので、厄介で且つ困難である。
【０００４】
米国特許第６７５２５２０号は、カラー、固定突起及び垂直要素を有する固定支持部を備える照明装置を開示する。この固定突起は、固定された位置から固定解除された位置に移動させることができる。この照明装置は固定突起をその固定される位置から解放することができるロッドと、固定突起の当接及び案内のためのゾーンと、当接領域及び案内領域によって且つ垂直要素によって案内される突起が、擬似天井に圧力を加えるように、固定突起が固定解除された位置にあるとき固定突起に圧力を加えることができるばねとを有する。この固定支持部が設置されるとき、擬似天井は固定突起とカラーの間に保持される。
【０００５】
この技術の主要な欠点は、照明装置を準備し、それを固定位置に置くのに必要な時間と労力である。設置それ自体も非常に長たらしく不必要に複雑である。さらに、この照明装置の構造は極めて複雑である。
【発明の開示】
【発明が解決しようとする課題】
【０００６】
本発明の目的は、パネル・コンポーネントのパネル要素への装架を容易にすることである。
【課題を解決するための手段】
【０００７】
上記の目的は、つば及び少なくとも１つのリテイナーを含むケーシングを備えるパネル・コンポーネント・ホルダーを使用する本発明の第１の態様によって達成される。このパネル・コンポーネント・ホルダーは、ケーシングに取り付けられる取り付け端部を備える少なくとも１つの支持手段を備え、この少なくとも１つの支持手段は弾性手段及び自由端部をさらに備える。少なくとも１つのリテイナーは、少なくとも１つの支持手段のケーシングからのケーシングの中心軸と合致する平面内での外向きの移動を防止するように構成され、この少なくとも１つの支持手段の外向きの移動は弾性手段によって誘起される。
【０００８】
この実施例は、パネル・コンポーネント・ホルダーがどのような特別な工具もなしで種々の厚さ及び材料のパネル要素に容易に装架される点で有利である。このパネル・コンポーネント・ホルダーはさらに、パネル要素を損傷させることなく設置することができ、且つパネル・コンポーネントを取り外すことができる。
【０００９】
別の利点は、輸送中及びパネル・コンポーネント・ホルダーの設置に先立ち、支持手段を保持するリテイナーがパネル・コンポーネント・ホルダーの外形を薄くすることができ、したがってこれがスペース・コストを減少させる。
【００１０】
別の実施例によれば、この弾性手段は捩りばねである。捩りばねの使用は、コスト効率が高いこと及び比較的大きな力をもたらすことの両方の点で有利である。
【００１１】
さらに別の実施例によれば、この弾性手段は取り付け端部のところに配置され、これが支持手段のパネル・コンポーネント・ホルダーへの取り付けを簡略化する。
【００１２】
別の実施例によれば、少なくとも１つの支持手段は、取り付け端部と自由端部間に配置される柔軟性のあるセクションをさらに備える。この柔軟性のあるセクションは、支持手段のリテイナーからの解放を簡略化する。
【００１３】
別の実施例によれば、この少なくとも１つの支持手段は少なくとも１つの脚をさらに備える。
【００１４】
別の実施例によれば、この少なくとも１つの支持手段は取り付け端部と自由端部間に配置される少なくとも１つの屈曲部をさらに備える。この少なくとも１つの屈曲部は、それによってケーシングの内側から支持手段に届くのがより容易になるという点で、支持手段のリテイナーからの解放を簡略化することができる。
【００１５】
別の実施例によれば、この少なくとも１つの支持手段は、自由端のところに、又は自由端部と取り付け端部の間に配置される少なくとも１つの突起部をさらに備える。この少なくとも１つの突起部は、支持手段のリテイナーへの取り付けを簡略化することができる。
【００１６】
別の実施例によれば、ケーシングは第１の、開口端部、第２の端部及びこの第１の、開口端部と第２の端部の間に配置されるケーシング壁をさらに備え、少なくとも１つのリテイナーは第２の端部のところの少なくとも１つのスロットとして配置される。
【００１７】
別の実施例によれば、ケーシングは第１の、開口端部、第２の端部及びこの第１の開口端部と第２の端部間に配置されるケーシング壁をさらに備え、このケーシング壁は支持手段の制御を可能にするための少なくとも１つの制御開口部を備える。この制御開口部は、支持手段をこの制御開口部を介してケーシングの内側から制御することができ、したがって、パネル・コンポーネント・ホルダーを設置する人が支持手段を制御するとき片手しか使用しないでよい可能性をもたらす点で有利である。さらに、パネル・コンポーネント・ホルダーを設置するために、天井からパネルを取り外す必要は全くない。
【００１８】
別の実施例によれば、少なくとも１つの制御開口部はケーシング壁内に部分的に、且つ第２の端部内に部分的に配置され、それが支持手段の制御を簡略化する。  
【００１９】
別の実施例によれば、この少なくとも１つのリテイナーは少なくとも１つの制御開口部の縁部によって形成される。
【００２０】
別の実施例によれば、上記パラグラフの別の実施例で説明された少なくとも１つのリテイナーは、突起部として形成される。
【００２１】
別の実施例によれば、上記パラグラフの別の実施例で説明された少なくとも１つのリテイナーは、スロットとして形成される。
【００２２】
別の実施例によれば、１つの開口部が第２の端部の実質的に中央に配置される。これは、この開口部がパネル・コンポーネント・ホルダー内へのケーブル用の簡単なアクセスを提供するので有利である。
【００２３】
上記の目的は、パネル・コンポーネント・ホルダーをパネル要素に取り付ける方法を使用する、本発明の第２の態様によっても達成され、このパネル・コンポーネント・ホルダーは、つば及び少なくとも１つのリテイナーを含むケーシングを備える。このパネル・コンポーネント・ホルダーはケーシングに取り付けられる取り付け端部を備える少なくとも１つの支持手段をさらに備え、この少なくとも１つの支持手段は弾性手段及び自由端部をさらに備える。
【００２４】
この方法は、パネル要素内の開口部を通りパネル・コンポーネント・ホルダーを挿入するステップと、つばをパネル要素に当接させるステップと、少なくとも１つの支持手段を少なくとも１つのリテイナーから解放するステップとを含み、この少なくとも１つの支持手段は、ケーシングの中央軸と合致する平面内を前記ケーシングからの、弾性手段によって誘起される外向きの移動を画く。
【００２５】
第１の態様の利点は、第２の態様にも適用可能である。その上、この方法を使用してパネル・コンポーネント・ホルダーの装架が容易になる可能性がある。
【００２６】
別の実施例によれば、この少なくとも１つの支持手段の解放のステップは、少なくとも１つの支持手段をケーシングの内側から解放するステップをさらに含む。これは、解放が片手のみ使用して行うことが可能であり、パネル・コンポーネント・ホルダーを装架するためにパネル要素を取り外す必要が全くなく、且つ人がパネル・コンポーネント・ホルダーとパネル要素間に形成される隙間内でいじくる必要がない点において有利である。
【００２７】
別の実施例によれば、この少なくとも１つの支持手段の解放のステップは、少なくとも１つの支持手段の一部分を少なくとも１つのリテイナーに対し届かなくなるように移動させるステップをさらに含む。
【００２８】
本発明の適用可能性のさらなる範囲が、以下で与えられる詳細な説明から明らかになるであろう。しかしながら、この詳細な説明及び具体的な実施例は本発明の好ましい実施例を示すが、本発明の趣旨及び範囲内の様々な変更及び改変はこの詳細な説明から当業者に明らかになるため、例示としてのみ与えられることを理解されたい。
【００２９】
本発明の他の特徴及び利点は、添付の図面を参照して行われる、現行の好ましい実施例の以下の詳細な説明から明らかになるであろう。
【実施例】
【００３０】
図１は、例えばカメラ、スポットライト、拡声器、火災検知器、移動検知器、ガス検知器等などのパネル・コンポーネントを受けるように構成されるパネル・コンポーネント・ホルダー１００を示す。このパネル・コンポーネント・ホルダーは、ケーシング１０２と少なくとも１つの支持手段１０４を含む。支持手段１０４は、自由端部１２２、弾性手段１１８及び取り付け端部１２０を有する。この弾性手段１１８は、取り付け端部１２０のところに配置することができる。支持手段１０４の取り付け端部１２０は、ケーシング１０２に取り付けられる。
【００３１】
ケーシング１０２は、通常パネル・コンポーネントの挿入に使用される１つの開口端部１０６及び第２の端部１０８をさらに有することができ、この端部１０６、１０８はケーシング壁１１０によって結合される。この第１の、開口端部１０６は、ケーシング壁１１０に対して直角な円周方向のつば１１２を有する。
【００３２】
このパネル・コンポーネント・ホルダー１００は、パネル要素の内側に支持手段１０４によって、パネル要素の外側に円周方向のつば１１２によって、パネル要素に固定される。
【００３３】
パネル・コンポーネント・ホルダー１００は、ケーシング１０２の軸の中心と合致する平面内での支持手段１０４のケーシング１０２からの外向きの移動を防止することによって、この少なくとも１つの支持手段１０４と相互作用するように構成される少なくとも１つのリテイナー（図面に図示せず）を備え、支持手段１０４のこの外向きの移動は弾性手段１１８によって誘起される。
【００３４】
図１などの本発明の一実施例では、このケーシング１０２は円筒形状のものであることができる。しかしながら、ケーシング１０２の他の実施例は、異なる形状であることができる。
【００３５】
ケーシング１０２は、支持手段１０４の制御を可能にする少なくとも１つの制御開口部１１４をさらに有することができる。図１の実施例では、この少なくとも１つの制御開口部１１４は、部分的にケーシング壁１１０内に、部分的に第２の端部１０８の一部分内に配置される。別法として、別の実施例では、この少なくとも１つの制御開口部１１４は、ケーシング壁１１０内にのみ、或いは第２の端部１０８の一部分内にのみそれぞれ配置することができる。
【００３６】
第１の実施例では、この支持手段１０４は支持プレートとして実現することができる。この支持プレートは完全に中実であることが、又は中実でない少なくとも１つのセクションを含むことができる。中実でないこのセクションは例えば少なくとも１つの細長い部材を備えることができる。中実でないこのセクションは柔軟性のある、弾力性のある材料から作ることができる。さらに支持プレートの中実部分は、柔軟性のある材料、例えばゴムから部分的に作ることができる。
【００３７】
第２の実施例では、この支持手段１０４は支持脚として実現される。この支持脚は１つ又は複数の細長い部材を備えることができる。この支持脚は、例えばＬ字形状などの種々の形状をさらに有することができる。
【００３８】
支持手段１０４は、少なくとも１つの柔軟性のあるセクションを有することができる。柔軟性のあるこのセクションは、それが、回復力があり、弾力性があり且つ曲がることを意味する。この柔軟性のあるセクションは、例えば中実であり柔軟性のある且つ弾力性のある材料、例えばゴムからから作ることができる。別法として、この柔軟性のあるセクションは、例えば少なくとも１つの細長い部材として構成することができる。
【００３９】
図２Ａは、第２の実施例による支持手段１０４を示す。この支持手段１０４は、例えば何らかの金属から作ることができる。支持脚は、取り付け端部１２０、この場合弾性手段１１８に、且つ自由端部１２２に取り付けられる２つの細長い部材２０２として実現される。
【００４０】
この弾性手段１１８は、例えば捩りばね又は板ばねなどのばね、或いは当業者に明らかな他の弾性手段として実現することができる。図２Ａの弾性手段は１対の捩りばねである。図２Ｂは第２の実施例による支持手段１０４を示すが、１つの捩りばねとして実現される弾性手段１１８を有する。図２Ｄは、第２の実施例による支持手段１０４を示し、支持手段１０４は１つの細長い部材２０２を有する。自由端部１２２は、例えば図２Ａ、図２Ｃ及び図２Ｄに示すようなプレートとして実現することができ、図２Ｃは図２Ａの支持手段の上面図である。この自由端部１２２は、代替として１つ又は複数の細長い部材から突出する１つ又は複数の細長い部材の伸張部として、又は図２Ｂでのように２つの細長い部材２０２を結合する２つの細長い部材２０２の伸張部として実現することができる。
【００４１】
一実施例では、この支持手段１０４は、第１及び第２の屈曲部２０６、２０８を有することができる。この第１及び第２の屈曲部２０６、２０８は、取り付け端部１２０と自由端部１２２の間のどこかに配置される。少なくとも１つの柔軟性のあるセクションは、第１の屈曲部２０６のところに配置することができる。この第１の屈曲部２０６は、それによってケーシング１０２の内側から支持手段１０４に届くのがより容易になるという点で、支持手段１０４のリテイナーからの解放を簡略化する。
【００４２】
この支持手段１０４は、パネル要素厚さに適合可能な傾斜を有する。これによって、パネル要素に当接するように配置される支持手段の部分を支持手段１０４の傾斜に合うように調整することが必要になる。パネル・コンポーネント・ホルダー１００が取り付けられるパネル要素の内側に当接するようになされるのは第２の屈曲部２０８である。この第２の屈曲部２０８は、支持手段１０４の傾斜にほとんど関係なくパネル要素に当接するセクションを提供する。
【００４３】
支持手段１０４は、取り付け端部１２０のところでケーシング１０２に様々な方法で取り付けることができる。この支持手段１０４を取り付ける１つの方法が図１に示され、以下に説明される。第１の、開口端部１０６により近い第１の端部であって、少なくとも１つの制御開口部１１４の第１の端部は、少なくとも１つの制御開口部１１４の各側面に、少なくとも１つの制御開口部１１４の縁部から少なくとも１つの制御開口部１１４の対向する端部に向かって突出する歯１１６を有する。図１のこの取り付け端部１２０は弾性手段、より具体的には１対の捩りばねである。この捩りばねがケーシング１０２に取り付けられるとき、この歯１１６が捩りばねの中心を貫通して突出する。支持手段１０４をケーシング１０２に取り付ける別の方法は、当業者に明らかである。
【００４４】
一実施例では、このパネル・コンポーネント・ホルダー１００はケーブル、例えばイーサネット（登録商標）ケーブル、電力ライン、又は信号ラインを受けるようになされた開口部を有することができる。図２Ｂの支持手段を有するパネル・コンポーネント・ホルダー１００の上面図である図３Ａは、第２の端部１０８の中央部分に配置されるそのような開口部３０２を示す。
【００４５】
リテイナー３０４の目的は、弾性手段１１８が歪ませられている際、支持手段１０４を保持することである。このリテイナー３０４は多くの異なる方法で実現できることを理解されたい。それは例えばケーシング１０２の一部分であること、且つ異なる形状例えばスロット、突起部等であることができる。さらに、このパネル・コンポーネント・ホルダー１００は、支持手段１０４毎に１つ又は複数のリテイナー３０４を備えることができる。
【００４６】
リテイナーが突起部３０４として実現される場合は、この突起部３０４は少なくとも１つの制御開口部１１４の縁部のどこかに配置することができる。次いで支持手段１０４は、支持手段１０４を後退させ、支持手段１０４をこの突起部に対し且つケーシング１０２の内側上に位置決めすることによってケーシング１０２に着脱式に取り付けられる。これによって、突起部３０４が支持手段１０４を保持するのが可能になり、支持手段１０４が歪ませられている弾性手段１１８に起因して外向きに移動するのを防止する。
【００４７】
図３Ａ及び図３Ｂでは、リテイナー３０４は突起部３０４として実現され、支持手段１０４はケーシング１０２に着脱式に取り付けられる。
【００４８】
別の実施例では、ケーシング壁１１０自体がリテイナーとしての役割を果たすことができる。この実施例では、支持手段１０４は、取り付け端部１２０と自由端部１２２の間で支持手段１０４上に突出して配置される少なくとも１つの突起部を備えることができる。支持手段をケーシング壁１１０に着脱式に取り付けるために、支持手段は制御開口部１１４を通り案内され、この少なくとも１つの突起部がケーシング壁１１０に対して且つケーシング１０２の内側に位置決めされる。
【００４９】
別の実施例では、このリテイナー３０４は、第２の端部１０８に配置されるスロットとして構成することができる。この実施例は、支持手段１０４が支持プレートの自由端部１２２のところに突出して配置される突起部を備える支持プレートとして実現されるとき特に有用である。支持手段１０４は、この突起部をスロットを貫通してケーシング１０２の内側に位置決めすることによってケーシング１０２に着脱式に取り付けられる。
【００５０】
つば１１２は、互いの間をある距離で配置される、第２の端部１０８に向かう方向に突出する歯３０６を有することができる。パネル・コンポーネント・ホルダー１００を開口部を貫通してパネル要素内に挿入するとき、このつば１１２はパネル要素の外側に当接し、この歯３０６はパネル要素の外側に係合的に取り付けることができる。歯３０６は、パネル・コンポーネントのパネル・コンポーネント・ホルダー１００への取り付け中、パネル・コンポーネント・ホルダー１００の移動を防止するのを助ける。
【００５１】
支持手段１０４がどのようにリテイナー３０４から解放されるかの方法は、支持手段１０４及びリテイナー３０４の具体化に依存する。
【００５２】
一実施例では、パネル・コンポーネント・ホルダー１００は、支持手段１０４毎に少なくとも２つのリテイナー３０４を備える。支持手段１０４を解放するために、柔軟性のあるセクションがケーシング１０２の内側からそっと圧縮され、その結果支持手段１０４をリテイナー３０４から解放し、支持手段１０４をケーシング１０２から外向きに移動させるのを可能にする。この実施例では、支持手段１０４は例えば、柔軟性のある支持プレートとして、又は柔軟性のあるセクションを有する支持プレートとして、柔軟性のあるセクションを有する少なくとも２つの細長い部材として実現することができる。
【００５３】
支持手段１０４毎に２つのリテイナー３０４を有する一実施例を、図３Ｂのパネル・コンポーネント・ホルダーの横断面を示す図４に示す。図４の実施例では、矢印４０２によって示すように２つの細長い部材２０２を一緒にそっと圧縮し、この２つの細長い部材２０２を制御開口部を通りリテイナー３０４に対し届かなくなるまで外向きに押すことによって、支持手段１０４は内側から解放される。解放されるとき、矢印４０４によって示すように支持手段１０４は外向きに且つ下向きに移動する。この動きは、支持手段１０４がパネル・コンポーネント・ホルダーが装架されるべきパネル要素の内側に当接するとき停止される。
【００５４】
別の実施例では、パネル・コンポーネント・ホルダー１００は、支持手段１０４毎に１つのリテイナー３０４を備える。支持手段１０４が例えば柔軟性のあるセクションを有する少なくとも２つの細長い部材として、柔軟性のある支持プレートとして、或いは柔軟性のあるセクションを有する支持プレートとして実現される場合は、この支持手段１０４は、支持手段１０４毎に２つのリテイナー３０４を有する実施例に対し説明されたのと同じ方法でリテイナー３０４から解放することができる。しかしながら、支持手段１０４が例えば少なくとも１つの脚又は柔軟性のあるセクションを有さない支持プレートとして実現される場合は、支持手段１０４を解放する別の手段が適用可能である。しかしながら、支持手段１０４を解放するこの方法は、この出願で説明される支持手段１０４の他の実施例にも適用されることに留意されたい。この支持手段１０４は、支持手段１０４をリテイナー３０４から制御開口部１１４のもう１つの側に向かって押す、したがって、弾性手段１１８、この場合少なくとも１つの捩りばねを圧縮することによって解放される。弾性手段１１８を圧縮した後、支持手段１０４を制御開口部１１４を通り外向きに移動させることによって、支持手段はリテイナー３０４に対し届かなくなるところに移動させることができる。次いで、圧縮を中止した後支持手段１０４は、支持手段１０４が装架されるべきパネル要素の内側に当接するまで弾性手段１１８によって誘起される外向きの且つ下向きの動きを画く。
【００５５】
図５Ａは、パネル要素５０２に装架されたパネル・コンポーネント・ホルダー１００を示す。図５Ｂは、図５Ａのパネル・コンポーネント・ホルダー１００及びパネル要素５０２の横断面を示す。
【００５６】
図６は、図５Ａのパネル・コンポーネント・ホルダー１００及びパネル要素５０２の底面図を示す。図から、パネル・コンポーネントはケーシング１０２の内側で、パネル・コンポーネント・ホルダー１００に容易に装架されることが明瞭に分かる。
【００５７】
パネル・コンポーネント・ホルダー１００をパネル要素に装架するとき、最初にパネル・コンポーネント・ホルダー１００は装架に適した状態に置かれる。この状態は支持手段１０４を歪ませ、それらをリテイナー３０４に着脱式に取り付けることを含む。
【００５８】
その後、パネル・コンポーネント・ホルダー１００はパネル要素内の開口部内に、つば１１２がパネル要素の外側に当接するまで挿入される。
【００５９】
パネル・コンポーネント・ホルダー１００をパネル要素の開口部を通り挿入した後、支持手段１０４はケーシング１０２の内側からリテイナー３０４から解放される。
【００６０】
解放されるとき、支持手段１０４の自由端部１２２は、パネル要素の内側に当接するようにケーシング１０２の中心軸と合致する平面内でケーシングから外向きに下に移動する。支持手段１０４の外向きの移動は、今は解放されたが以前は歪まされていた弾性手段１１８によって誘起される。
【００６１】
パネル・コンポーネント・ホルダー１００の設置の後、パネル・コンポーネントはパネル・コンポーネント・ホルダー１００に容易に取り付けることができる。
【図面の簡単な説明】
【００６２】
【図１】本発明によるパネル・コンポーネント・ホルダーの一実施例の斜視図である。
【図２Ａ】本発明によるパネル・コンポーネント・ホルダーの支持手段の一実施例の斜視図である。
【図２Ｂ】本発明によるパネル・コンポーネント・ホルダーの支持手段の別の実施例の斜視図である。
【図２Ｃ】図２Ａの支持手段の上面図である。
【図２Ｄ】本発明によるパネル・コンポーネント・ホルダーの支持手段の別の実施例の斜視図である。
【図３Ａ】図２Ｂの支持手段を有する図１のパネル・コンポーネント・ホルダーの上面図である。
【図３Ｂ】図１のパネル・コンポーネント・ホルダーの側面図である。
【図４】図１のパネル・コンポーネント・ホルダーの横断面の側面図である。
【図５Ａ】図１のパネル要素及びパネル・コンポーネント・ホルダーの斜視図である。
【図５Ｂ】図５Ａのパネル要素及びパネル・コンポーネント・ホルダーの横断面の側面図である。
【図６】図１のパネル要素及びパネル・コンポーネント・ホルダーの底面図である。
【図１】
0004842309.tif 000002
【図２Ａ】
0004842309.tif 000003
【図２Ｂ】
0004842309.tif 000004
【図２Ｃ】
0004842309.tif 000005
【図２Ｄ】
0004842309.tif 000006
【図３Ａ】
0004842309.tif 000007
【図３Ｂ】
0004842309.tif 000008
【図４】
0004842309.tif 000009
【図５Ａ】
0004842309.tif 000010
【図５Ｂ】
0004842309.tif 000011
【図６】
0004842309.tif 000012